(57)【要約】【課題】本発明が解決しようとする課題は、自動的に割引きまたは値引きを受けられる販売データ処理装置およびプログラムを提供することである。【解決手段】実施形態の販売データ処理装置は、商品特定情報を取得する商品特定情報取得部と、前記商品特定情報取得部が取得した商品特定情報に基づいて、商品の単価を含む商品情報を読み出す商品情報読み出し部と、顧客特定情報に基づいて顧客の区分を取得する区分取得部と、読み出した商品の単価に対し前記顧客の区分に応じた割引きまたは値引きを適用する第１減額部と、を備える。【選択図】図７
2020067903.tif 000002
【特許請求の範囲】
【請求項１】
商品特定情報を取得する商品特定情報取得部と、
前記商品特定情報取得部が取得した商品特定情報に基づいて、商品の単価を含む商品情報を読み出す商品情報読み出し部と、
顧客特定情報に基づいて顧客の区分を取得する区分取得部と、
読み出した商品の単価に対し前記顧客の区分に応じた割引きまたは値引きを適用する第１減額部と、
を備えた販売データ処理装置。
【請求項２】
商品特定情報を取得する商品特定情報取得部と、
前記商品特定情報取得部が取得した商品特定情報に基づいて、商品の単価を含む商品情報を読み出す商品情報読み出し部と、
前記商品特定情報で特定される商品が特定の顧客に対して割引きまたは値引きが適用される商品であるかを判断する適用判断部と、
前記適用判断部が前記割引きまたは値引きが適用される商品であると判断した場合に、前記商品の単価に対し割引きまたは値引きを適用する第２減額部と、
を備えた販売データ処理装置。
【請求項３】
前記商品特定情報で特定される商品が特定の顧客に対して割引きまたは値引きが適用される商品であるかを判断する適用判断部と、
前記適用判断部が前記割引きまたは値引きが適用される商品であると判断した場合に、前記商品の単価に対し割引きまたは値引きを適用する第２減額部と、
をさらに備えた請求項１に記載の販売データ処理装置。
【請求項４】
前記適用判断部は、操作されたキーの操作による顧客の特徴情報の入力に基づいて、前記商品特定情報で特定される商品が特定の顧客に対して割引きまたは値引きが適用される商品であると判断する、
請求項２または３に記載の販売データ処理装置。
【請求項５】
コンピュータを、
商品特定情報を取得する商品特定情報取得部と、
前記商品特定情報取得部が取得した商品特定情報に基づいて、商品の単価を含む商品情報を読み出す商品情報読み出し部と、
顧客特定情報に基づいて顧客の区分を取得する区分取得部と、
読み出した商品の単価に対し前記顧客の区分に応じた割引きまたは値引きを適用する第１減額部と、
して機能させるためのプログラム。
【請求項６】
コンピュータを、
商品特定情報を取得する商品特定情報取得部と、
前記商品特定情報取得部が取得した商品特定情報に基づいて、商品の単価を含む商品情報を読み出す商品情報読み出し部と、
前記商品特定情報で特定される商品が特定の顧客に対して割引きまたは値引きが適用される商品であるかを判断する適用判断部と、
前記適用判断部が前記割引きまたは値引きが適用される商品であると判断した場合に、前記商品の単価に対し割引きまたは値引きを適用する第２減額部と、
して機能させるためのプログラム。
【発明の詳細な説明】
【技術分野】
【０００１】
本発明の実施形態は、販売データ処理装置およびプログラムに関する。
【背景技術】
【０００２】
従来から、特定の顧客に対して、店舗で販売する商品について、商品の単価（店舗において販売されている商品の価格）から割引きまたは値引きを行う場合、ＰＯＳ（Point  of  Sales）端末において、操作者が割引きまたは値引きの操作をしていた。
【０００３】
また、特定の商品について、条件を満たした顧客に対して割引きまたは値引きを行う場合、ＰＯＳ（Point  of  Sales）端末において、操作者が割引きまたは値引きの操作をしていた。
【０００４】
そのため、操作者が割引きまたは値引きの操作をし忘れると、顧客は割引きまたは値引きを受けられない場合がある。
【発明の概要】
【発明が解決しようとする課題】
【０００５】
本発明が解決しようとする課題は、確実に割引きまたは値引きを受けられる販売データ処理装置およびプログラムを提供することである。
【課題を解決するための手段】
【０００６】
実施形態の販売データ処理装置は、商品特定情報を取得する商品特定情報取得部と、前記商品特定情報取得部が取得した商品特定情報に基づいて、商品の単価を含む商品情報を読み出す商品情報読み出し部と、顧客特定情報に基づいて顧客の区分を取得する区分取得部と、読み出した商品の単価に対し前記顧客の区分に応じた割引きまたは値引きを適用する第１減額部と、を備える。
【図面の簡単な説明】
【０００７】
【図１】図１は、実施形態に係るＰＯＳ端末のハードウェア構成を示すブロック図である。
【図２】図２は、顧客マスタのメモリ構成を示す図である。
【図３】図３は、商品マスタのメモリ構成を示す図である。
【図４】図４は、資格割引条件部のメモリ構成を示す図である。
【図５】図５は、部門割引条件部のメモリ構成を示す図である。
【図６】図６は、ＰＯＳ端末の機能構成を示す機能ブロック図である。
【図７】図７は、ＰＯＳ端末の制御処理の流れを示すフローチャートである。
【発明を実施するための形態】
【０００８】
以下、図面を参照して、実施形態について詳細に説明する。実施形態は、ＰＯＳ端末を販売データ処理装置の一例として説明する。また、実施形態では、商品の割引きを例に説明する。以下に説明する実施形態によりこの発明が限定されるものではない。
【０００９】
ＰＯＳ端末１は、店舗で販売される商品（顧客が購入する商品）の売上登録処理と決済処理を行う。売上登録処理とは、入力された商品を特定する商品特定情報である商品コードに基づいて、当該商品の商品名や商品の単価等の商品情報を取得して、オペレータ用表示部１７や客用表示部１８に表示し、当該商品情報を商品情報部１３２に記憶する処理をいう。また、決済処理とは、売上登録処理をして商品情報部１３２に記憶された商品情報に基づいて、取引に係る合計金額を表示するとともに、商品情報や決済情報（顧客から預かった預り金や釣銭等）を印字したレシートを発行する処理をいう。
【００１０】
次に、実施形態に係るＰＯＳ端末１のハードウェア構成について説明する。図１は、ＰＯＳ端末１のハードウェア構成を示すブロック図である。図１に示すように、ＰＯＳ端末１は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は制御主体となる。ＲＯＭ１２は各種プログラムを記憶する。ＲＡＭ１３はプログラムや各種データを展開する。メモリ部１４は各種プログラムを記憶する。ＣＰＵ１１、ＲＯＭ１２、ＲＡＭ１３、メモリ部１４は、互いにバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述するＰＯＳ端末１に係る制御処理を実行する。
【００１１】
ＲＡＭ１３は、顧客コード部１３１、商品情報部１３２を備えている。顧客コード部１３１は、カード情報読取部２２から入力された顧客を特定する顧客コードを記憶する。商品情報部１３２は、シンボル読取部２１が読み取ったシンボルを解析して取得した商品コードに基づいて、商品マスタ１４３から読み出した当該商品の商品情報（商品名、単価等）を記憶する。
【００１２】
メモリ部１４は、電源を切っても記憶情報が保持されるＨＤＤ（Hard  Disc  Drive）やフラッシュメモリ等の不揮発性メモリで構成される。メモリ部１４は、制御プログラム部１４１、顧客マスタ１４２、商品マスタ１４３、資格割引条件部１４４、部門割引条件部１４５等を備える。制御プログラム部１４１は、ＰＯＳ端末１を制御するための制御プログラムを記憶する。顧客マスタ１４２は、顧客コードに対応付けて会員である顧客の情報を記憶する。顧客マスタ１４２は図２で後述する。商品マスタ１４３は、商品コードに対応付けて商品情報を記憶する。商品マスタ１４３は図３で後述する。資格割引条件部１４４は、顧客を条件毎に区分し、区分毎に対応する割引率を記憶する。資格割引条件部１４４は図４で後述する。部門割引条件部１４５は、商品毎に割引が適用される条件を記憶する。部門割引条件部１４５は図５で後述する。
【００１３】
また、制御部１００は、バス１５およびコントローラ１６を介して、オペレータ用表示部１７、客用表示部１８、操作部１９、印字部２０、シンボル読取部２１、カード情報読取部２２と接続している。オペレータ用表示部１７は、オペレータに情報を表示する。客用表示部１８は、顧客に情報を表示する。操作部１９は、テンキー、部門キー、締めキー１９１、女性キー１９２、未成年キー１９３等のキーを備えたキーボードである。締めキー１９１は、顧客との取引を終了する場合に操作する。女性キー１９２は、女性の顧客の場合に操作する。未成年キー１９３は、未成年の顧客の場合に操作する。印字部２０は、決済処理した商品の商品情報や決済情報を印字したレシートを発行する。シンボル読取部２１は、シンボル化された情報を光学的に読取り、または撮像して読取る。カード情報読取部２２は、顧客が決済に使用するカードからカードを特定するカード情報を読み取る。また、カード情報読取部２２は、顧客が所持する顧客カードから顧客を特定する顧客コードを読み取る。なお、顧客が所持する顧客カードに顧客コードを含むシンボルが印刷されている場合は、シンボル読取部２１が顧客コードを読み取る。
【００１４】
また、制御部１００は、バス１５を介して、通信部２３と接続している。通信部２３は、通信回線Ｌを介して、他のＰＯＳ端末１や上位サーバである店舗サーバ（図示せず）と通信可能に接続している。
【００１５】
次に、顧客マスタ１４２について説明する。図２は、顧客マスタ１４２のメモリ構成を示す図である。図２に示すように、顧客マスタ１４２は、顧客コード部１４２１、顧客情報部１４２２、顧客区分部１４２３等を有する。顧客コード部１４２１は、顧客と特定する顧客コードを記憶する。顧客情報部１４２２は、顧客コード部１４２１に記憶された顧客コードで特定される顧客の顧客情報（顧客の氏名、年齢、性別、住所、電話番号、会員となった日にち等）を記憶する。顧客区分部１４２３は、顧客コード部１４２１に記憶された顧客コードで特定される顧客の区分を記憶する。顧客の区分とは、例えば顧客のランクやレベルである。例えば、ゴールド会員（ランクＡ）、シルバー会員（ランクＢ）、ブロンズ会員（ランクＣ）が会員のランクに相当する。
【００１６】
次に、商品マスタ１４３について説明する。図３は、商品マスタ１４３のメモリ構成を示す図である。図３に示すように、商品マスタ１４３は、商品コード部１４３１、商品名部１４３２、単価部１４３３等を有する。商品コード部１４３１は、商品コードを記憶する。商品名部１４３２は、商品コード部１４３１に記憶された商品コードで特定される商品の商品名を記憶する。単価部１４３３は、商品コード部１４３１に記憶された商品コードで特定される商品の単価を記憶する。単価とは、店舗で販売されている商品の価格であり、クーポン券等を使用して割引きや値引きがされていない価格をいう。
【００１７】
次に、資格割引条件部１４４について説明する。資格割引は、顧客の区分毎に当該区分に属する顧客が受けられる割引きである。図４は、資格割引条件部１４４のメモリ構成を示す図である。図４に示すように、資格割引条件部１４４は、顧客区分部１４４１と割引率部１４４２等を有する。顧客区分部１４４１は、顧客の区分を記憶する。割引率部１４４２は、顧客区分部１４４１に記憶されている顧客の区分に対応した、当該区分に属する顧客が受けられる商品の割引率を記憶する。図５の例の場合、ランクＡのゴールド会員の区分の顧客は、購入したすべての商品について、各商品の単価から５％の割引きが適用される。ランクＢのシルバー会員の区分の顧客は、購入したすべての商品について、各商品の単価から３％の割引きが適用される。ランクＣの区分の顧客は、購入したすべての商品について、各商品の単価から０％の割引きを受けられる（すなわち、ランクＣのブロンズ会員は、資格割引が適用されない）。
【００１８】
次に、部門割引条件部１４５について説明する。部門割引は、商品毎に、条件を満たした顧客が受けられる割引である。図５は、部門割引条件部のメモリ構成を示す図である。図５に示すように、部門割引条件部１４５は、商品コード部１４５１、適用条件部１４５２、割引率部１４５３等を有する。商品コード部１４５１は、商品コードを記憶する。適用条件部１４５２は、商品コード部１４５１に記憶されている商品コードで特定される商品について、割引が適用される条件を記憶する。図５の例では、商品コード「００Ａ」の商品について割引が適用される適用条件は、女性の顧客である。また、商品コード「００Ｂ」の商品について割引が適用され適用条件は、２０歳未満の未成年の顧客である。また、商品コード「００Ｃ」の商品については、部門割引が適用されない。割引率部１４５３は、適用される割引の割引率を記憶する。図５の例では、商品コード「００Ａ」の商品を購入した女性顧客には、商品の単価から２％の割引きが適用される。また、商品コード「００Ｂ」の商品を購入した未成年顧客には、商品の単価から３％の割引きが適用される。部門割引が適用される条件を満たした顧客であるかは、一例として、ＰＯＳ端末１の操作者が見て判断し、該当するキーを操作する。たとえば、操作者が、女性を示す「女性キー」や未成年を示す「未成年キー」を操作すると、ＰＯＳ端末１は、当該顧客が条件を満たしているものと判断する。顧客コードが入力されている顧客については、当該顧客コードから取得した顧客情報に基づいて、部門割引が適用される条件を満たす顧客であるかを判断してもよい。
【００１９】
操作者は、シンボル読取部２１を用いて、顧客が購入する商品に付されたバーコード等のシンボルを読み取る。すると、ＰＯＳ端末１は、読み取ったシンボルを解析して、当該商品の商品コードを取得する。ＰＯＳ端末１は取得し商品コードに基づいて商品マスタ１４３を検索して、該当する商品コードに対応付けて記憶されている商品情報を読み出す。そして、ＰＯＳ端末１は、読み出した商品情報に基づいて売上登録処理を行う。すべての商品についてのシンボルを読み取ると、操作者は、締めキー１９１を操作する。するとＰＯＳ端末１は、売上登録処理された商品の商品情報に基づいて、決済処理を実行する。
【００２０】
ここからは、ＰＯＳ端末１の機能構成について説明する。図６は、ＰＯＳ端末１の機能構成を示す機能ブロック図である。ＰＯＳ端末１の制御部１００は、制御プログラム部１４１に記憶されＲＡＭ１３に展開された制御プログラムに従うことで、商品特定情報取得部１０１、商品情報読み出し部１０２、区分取得部１０３、第１割引部１０４、特定情報取得部１０５、適用判断部１０６、第２割引部１０７として機能する。
【００２１】
商品特定情報取得部１０１は、商品コードを取得する。商品特定情報取得部１０１は、シンボル読取部２１から読み取ったシンボルを解析して、当該シンボルが貼付されていた商品コードを取得する。
【００２２】
商品情報読み出し部１０２は、商品特定情報取得部１０１が取得した商品コードに基づいて、当該商品の単価を含む商品情報を読み出す。商品情報読み出し部１０２は、商品特定情報取得部１０１が取得した商品コードに基づいて商品マスタ１４３を検索し、当該商品コードに対応付けられた商品情報を読み出す。
【００２３】
区分取得部１０３は、顧客を特定する顧客コードに基づいて顧客の区分を取得する。区分取得部１０３は、は、入力された顧客コードに基づいて顧客マスタ１４２の顧客区分部１４２３を検索し、当該顧客コードに対応付けて記憶されている顧客の区分を読み出して取得する。
【００２４】
第１割引部１０４は、読み出した商品の単価から顧客の区分に応じた割引きを適用する。第１割引部１０４は、区分取得部１０３が取得した顧客の区分に基づいて資格割引条件部１４４を検索し、当該区分に対応して割引率部１４２２に記憶された割引率を取得し、商品情報読み出し部１０２が読み出した商品の単価に対し取得した割引率を適用する。
【００２５】
特定情報取得部１０５は、顧客の特徴を示す特徴情報を取得する。特定情報取得部１０５は、例えば操作者によって女性キー１９２が操作されることを示す信号が入力されると、顧客の特徴情報（女性であること）を取得する。特定情報取得部１０５は、例えば操作者によって未成年キー１９３が操作されることで入力された信号に基づいて、顧客の特徴情報（未成年であること）を取得する。特定情報取得部１０５は、例えば顧客コードが取得されている場合は、当該顧客コードに基づいて顧客マスタ１４２を検索し、顧客情報部１４２２に記憶されている当該顧客コードで特定される顧客の年齢、性別、住所、電話番号、会員となった日にち等の顧客の特徴情報を取得する。
【００２６】
適用判断部１０６は、商品コードで特定される商品が特徴情報に基づいて特定の顧客に対して割引きが適用される商品であるかを判断する。適用判断部１０６は、商品特定情報取得部１０１によって取得された商品コードに基づいて部門割引条件部１４５の適用条件部１４５２を検索し、特定情報取得部１０５が取得した顧客の特徴情報にもとづいて、当該顧客が取得された商品コードの商品について割引きが適用されるかを判断する。
【００２７】
第２割引部１０７は、適用判断部１０６が割引きが適用される商品であると判断した場合に、当該商品の単価について割引きを適用する。第２割引部１０７は、適用判断部１０６が割引きが適用される商品であると判断した場合に、当該商品コードに対応づけられて割引率部１４５３に記憶されている割引率を当該商品単価に適用する。
【００２８】
ここからは、ＰＯＳ端末１の制御について説明する。図７は、ＰＯＳ端末の制御処理の流れを示すフローチャートである。図７に示すように、ＰＯＳ端末１の制御部１００は、シンボル読取部２１またはカード情報読取部２２から顧客コードが入力されたかを判断する（Ｓ１１）。顧客コードが入力されたと判断した場合には（Ｓ１１のＹｅｓ）、制御部１００は、入力された顧客コードを顧客コード部１３１に記憶する。そして制御部１００は、Ｓ１１に戻る。
【００２９】
また、顧客コードの入力ではないと判断した場合には（Ｓ１１のＮｏ）、商品特定情報取得部１０１は、シンボル読取部２１読み取ったシンボルに対応した商品コードを取得したかを判断する（Ｓ２１）。商品コードを取得したと判断した場合には（Ｓ２１のＹｅｓ）、商品情報読み出し部１０２は、商品マスタ１４３から、当該商品コードに対応した商品情報（単価を含む）を読み出す（Ｓ２２）。
【００３０】
次に制御部１００は顧客コード部を取得したかを判断する（Ｓ２３）。顧客コード部１３１に顧客コードが記憶されている場合には、制御部１００は、顧客コード部を取得したと判断する。顧客コード部１３１に顧客コードが記憶されていない場合には、制御部１００は、顧客コード部を取得していないと判断する。
【００３１】
顧客コード部を取得したと判断した場合には（Ｓ２３のＹｅｓ）、区分取得部１０３は、当該顧客コードに基づいて顧客マスタ１４２を検索して、当該顧客コードに対応して顧客区分部１４２３に記憶されている顧客の区分を取得する（Ｓ２４）。そして制御部１００は、取得した顧客の区分に基づいて資格割引条件部１４４を検索し、当該顧客の区分に対応した割引率部１４４２に記憶された割引率を取得する（Ｓ２５）。そして第１割引部１０４は、取得した割引率を当該商品の単価に適用する（資格割引を適用する）（Ｓ２６）。割引率（割引き）を適用するとは、当該商品に当該割引率を使用して割引くことを決定することである。
【００３２】
次に適用判断部１０６は、Ｓ２１で取得したと判断した商品コードの商品について、部門割引が適用されるかを判断する（Ｓ３１）。適用判断部１０６は、取得された商品コードに基づいて部門割引条件部１４５を検索し、当該顧客に割引きが適用されるかを判断する。適用判断部１０６は、特定情報取得部１０５が取得した顧客の特徴情報に基づいて、当該顧客に割引きが適用されるかを判断する。実施形態の場合、適用判断部１０６は、取得した商品コードが「００Ａ」であって、特定情報取得部１０５が取得した顧客の特徴情報が女性である場合、当該顧客に割引きが適用されると判断する。また、適用判断部１０６は、取得した商品コードが「００Ａ」であって、特定情報取得部１０５が取得した顧客の特徴情報が女性以外である場合、当該顧客に割引きは適用されないと判断する。また、取得した商品コードが「００Ｂ」の場合も、同様に判断する。なお、適用判断部１０６は、取得した商品コードが「００Ｃ」である場合、当該顧客に割引きは適用されないと判断する。
【００３３】
適用判断部１０６が、Ｓ２１で取得したと判断した商品コードの商品について部門割引が適用されると判断した場合には（Ｓ３１のＹｅｓ）、第２割引部１０７は、当該商品コードに対応づけられて割引率部１４５３に記憶されている割引率を当該商品の単価に適用する（Ｓ３２）。そして制御部１００は、Ｓ２６で適用された割引率に基づいて当該商品の単価から割り引く第１割引額を算出し、かつＳ３２で適用された割引率に基づいて当該商品の単価から割り引く第２割引額を算出し、当該商品について第１割引額および第２割引額を減額した売上登録処理を実行する（Ｓ３３）。そして制御部１００は、Ｓ１１に戻る。なお、実施形態において、Ｓ３２の処理では、Ｓ２６で割引きを適用した後の商品の価格についてさらに割引きを適用するものではない。なお、Ｓ３２の処理において、Ｓ２６で割引きを適用した後の商品の価格についてさらに割引きを適用してもよいし、Ｓ２６にて取得した割引率とＳ３２にて取得した割引率を比較し、割引率の大きい方の割引きを適用してもよい。
【００３４】
なお、Ｓ２３において、顧客コード部を取得したと判断し（Ｓ２３のＹｅｓ）、Ｓ３１において、適用判断部１０６が、部門割引が適用されないと判断した場合には（Ｓ３１のＮｏ）、制御部１００は、Ｓ３３の処理において、Ｓ２６で適用された第１割引率に基づいて単価からの割引額を算出して、当該商品について売上登録処理を実行する。また、Ｓ２３において、顧客コード部を取得していないと判断し（Ｓ２３のＮｏ）、Ｓ３１において、適用判断部１０６が、部門割引が適用される商品であると判断した場合には（Ｓ３１のＹｅｓ）、制御部１００は、Ｓ３３の処理において、Ｓ３２で適用された第２割引率に基づいて割引額を算出して、当該商品について売上登録処理を実行する。また、Ｓ２３において、顧客コード部を取得していないと判断し（Ｓ２３のＮｏ）、Ｓ３１において、適用判断部１０６が、部門割引が適用されないと判断した場合には（Ｓ３１のＮｏ）、制御部１００は、Ｓ３３の処理において、商品の単価に第１割引率および第２割引率を適用することなく、当該商品について売上登録処理を実行する。
【００３５】
また、Ｓ２１において、商品コードの取得ではないと判断した場合には（Ｓ２１のＮｏ）、制御部１００は、締めキー１９１が操作されたかを判断する（Ｓ４１）。締めキー１９１が操作されたと判断した場合には（Ｓ４１のＹｅｓ）、制御部１００は、商品情報部１３２に記憶された商品情報に基づいて、決済処理を実行する（Ｓ４２）。そして制御部１００は、Ｓ１１に戻る。また、締めキー１９１の操作ではないと判断した場合には（Ｓ４１のＮｏ）、制御部１００は、Ｓ１１に戻る。
【００３６】
このような実施形態によれば、顧客が購入した全商品について、確実に顧客コードに基づく顧客の区分に応じた資格割引を適用することができる。
【００３７】
また、特定の商品について顧客の条件を満たす場合、確実に部門割引を適用することができる。
【００３８】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【００３９】
例えば、実施形態では、資格割引および部門割引において、顧客に対して商品の単価から所定の割引率を適用した割引きを行った。しかしながらこれに限らず、資格割引および部門割引において、商品の単価から所定の金額を値引く値引きを行うようにしてもよい。
【００４０】
また、実施形態では、自動的に商品の割引きを行うようにした。しかしながらこれに限らず、例えば、商品の割引きや値引きに代わって、顧客の区分に応じて確実にポイントを付与できるようにするために、また、設定された条件を満たす商品を購入した顧客に対し、自動的に所定のポイントを付与するようにしてもよい。この場合、割引率部１４４２に代えて、付与ポイント部を設け、顧客区分毎に付与するポイントを記憶させるようにする。また、割引率部１４５３に代えて、付与ポイント部を設け、商品コード毎に付与するポイントを記憶させるようにする。
【００４１】
なお、実施形態のＰＯＳ端末１で実行されるプログラムは、インストール可能な形式または実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録されて提供される。
【００４２】
また、実施形態のＰＯＳ端末１で実行されるプログラムを、インターネット等のネットワークに接続されたコンピュータ上に格納し、ネットワーク経由でダウンロードさせることにより提供するように構成しても良い。また、実施形態のＰＯＳ端末１で実行されるプログラムをインターネット等のネットワーク経由で提供または配布するように構成しても良い。
【００４３】
また、実施形態のＰＯＳ端末１で実行されるプログラムを、ＲＯＭ等に予め組み込んで提供するように構成してもよい。
【符号の説明】
【００４４】
１      ＰＯＳ端末
１１    ＣＰＵ
１２    ＲＯＭ
１３    ＲＡＭ
１４    メモリ部
１００  制御部
１０１  商品特定情報取得部
１０２  商品情報読み出し部
１０３  区分取得部
１０４  第１割引部
１０５  特定情報取得部
１０６  適用判断部
１０７  第２割引部
１３１  顧客コード部
１３２  商品情報部
１４２  顧客マスタ
１４３  商品マスタ
１４４  資格割引条件部
１４５  部門割引条件部
１９２  女性キー
１９３  未成年キー
【先行技術文献】
【特許文献】
【００４５】
【特許文献１】特開２００１-２１６５７２号公報
【図１】
2020067903.tif 000003
【図２】
2020067903.tif 000004
【図３】
2020067903.tif 000005
【図４】
2020067903.tif 000006
【図５】
2020067903.tif 000007
【図６】
2020067903.tif 000008
【図７】
2020067903.tif 000009